(57)【要約】【課題】金額に限られない価値を提供可能な検索プログラム、ユーザ端末および検索装置を提供する。【解決手段】ユーザ端末を、入力インターフェースを介して、ユーザから金額および気分の入力を受け付ける検索条件受付手段と、受け付けた前記金額および気分に基づくレコメンド情報を取得するレコメンド情報取得手段と、出力インターフェースを介して、前記レコメンド情報をユーザに出力する出力手段と、として機能させる、検索プログラムが提供される。【選択図】図１
2020144728.tif 000002
【特許請求の範囲】
【請求項１】
ユーザ端末を、
入力インターフェースを介して、ユーザから金額および気分の入力を受け付ける検索条件受付手段と、
受け付けた前記金額および気分に基づくレコメンド情報を取得するレコメンド情報取得手段と、
出力インターフェースを介して、前記レコメンド情報をユーザに出力する出力手段と、として機能させる、検索プログラム。
【請求項２】
前記レコメンド情報取得手段は、前記金額内で実行可能であり、かつ、前記気分に合ったレコメンド情報を取得する、請求項１に記載の検索プログラム。
【請求項３】
前記ユーザ端末はスマートフォンであり、
前記レコメンド情報取得手段は、受け付けた前記金額および気分と、前記スマートフォンで取得される情報と、に基づくレコメンド情報を取得する、請求項１または２に記載の検索プログラム。
【請求項４】
前記スマートフォンで取得される情報は、現在地、日時、時間、天気、気温および季節の少なくとも１つを含む、請求項３に記載の検索プログラム。
【請求項５】
前記レコメンド情報取得手段は、複数のレコメンド情報が登録されたレコメンド情報データベースから検索を行い、
当該ユーザ端末を、
前記入力インターフェースを介して、前記レコメンド情報データベースに登録されるレコメンド情報をユーザから受け付けるレコメンド情報受付手段として機能させる、請求項１乃至４のいずれかに記載の検索プログラム。
【請求項６】
前記レコメンド情報取得手段は、当該ユーザ端末のユーザが前記レコメンド情報データベースにレコメンド情報を登録したことがない場合、レコメンド情報の取得を行わない、請求項５に記載の検索プログラム。
【請求項７】
当該ユーザ端末を、取得されたレコメンド情報の実行を補助する補助手段として機能させる、請求項１乃至６のいずれかに記載の検索プログラム。
【請求項８】
前記補助手段は、前記レコメンド情報の実行に要する決済、成約処理および時間案内の少なくとも１つを行う、請求項７に記載の検索プログラム。
【請求項９】
前記検索条件受付手段は、前記ユーザから金額および気分のみの入力を受け付ける、請求項１乃至８のいずれかに記載の検索プログラム。
【請求項１０】
入力インターフェースを介して、ユーザから金額および気分の入力を受け付ける検索条件受付手段と、
受け付けた前記金額および気分に基づくレコメンド情報を取得するレコメンド情報取得手段と、
出力インターフェースを介して、前記レコメンド情報をユーザに出力する出力手段と、を備える、ユーザ端末。
【請求項１１】
入力インターフェースを介してユーザによって入力された金額および気分に基づいてレコメンド情報を検索するレコメンド情報検索手段を備える検索装置。
【請求項１２】
コンピュータを、入力インターフェースを介してユーザによって入力された金額および気分に基づいてレコメンド情報を検索するレコメンド情報検索手段として機能させる、検索プログラム。
【発明の詳細な説明】
【技術分野】
【０００１】
本発明は、検索プログラム、ユーザ端末および検索装置に関する。
【背景技術】
【０００２】
特許文献１には、金額に見合うチケットを検索するチケット販売システムが開示されている。
【先行技術文献】
【特許文献】
【０００３】
【特許文献１】特開２００３−８５３２２号公報
【発明の概要】
【発明が解決しようとする課題】
【０００４】
本発明の課題は、金額に限られない価値を提供可能な検索プログラム、ユーザ端末および検索装置を提供することである。
【課題を解決するための手段】
【０００５】
本発明の一態様によれば、ユーザ端末を、入力インターフェースを介して、ユーザから金額および気分の入力を受け付ける検索条件受付手段と、受け付けた前記金額および気分に基づくレコメンド情報を取得するレコメンド情報取得手段と、出力インターフェースを介して、前記レコメンド情報をユーザに出力する出力手段と、として機能させる、検索プログラムが提供される。
【０００６】
また、本発明の別の態様によれば、入力インターフェースを介して、ユーザから金額および気分の入力を受け付ける検索条件受付手段と、受け付けた前記金額および気分に基づくレコメンド情報を取得するレコメンド情報取得手段と、出力インターフェースを介して、前記レコメンド情報をユーザに出力する出力手段と、を備える、ユーザ端末が提供される。
【０００７】
また、本発明の別の態様によれば、入力インターフェースを介してユーザによって入力された金額および気分に基づいてレコメンド情報を検索するレコメンド情報検索手段を備える検索装置が提供される。
【０００８】
また、本発明の別の態様によれば、コンピュータを、入力インターフェースを介してユーザによって入力された金額および気分に基づいてレコメンド情報を検索するレコメンド情報検索手段として機能させる、検索プログラムが提供される。
【発明の効果】
【０００９】
ユーザから金額および気分の入力を受け付けるため、金額に限られない価値を提供できる。
【図面の簡単な説明】
【００１０】
【図１】第１の実施形態に係る検索システムの概略構成を示すブロック図。
【図２】第１の実施形態におけるレコメンド情報データベース２２の構造例を示す図。
【図３】図１の検索システムの処理動作の一例を示すシーケンス図。
【図４】検索条件受付画面の一例を示す図。
【図５】レコメンド情報出力画面の一例を示す図。
【図６】第２の実施形態に係る検索システムの概略構成を示すブロック図。
【図７】第２の実施形態におけるレコメンド情報データベース２２の構造例を示す図。
【図８】第３の実施形態に係る検索システムの概略構成を示すブロック図。
【発明を実施するための形態】
【００１１】
以下、本発明に係る実施形態について、図面を参照しながら具体的に説明する。
【００１２】
（第１の実施形態）
図１は、第１の実施形態に係る検索システムの概略構成を示すブロック図である。検索システムは、ユーザ端末１と、サーバ２とを備えている。
【００１３】
ユーザ端末１は、据置型またはノート型パーソナルコンピュータ、スマートフォン、タブレット端末などであり、入力インターフェース１１、出力インターフェース１２、通信部１３および制御部１４などを有する。
【００１４】
入力インターフェース１１はユーザからの入力を受け付けるものであり、マウス、キーボード、タッチパネル、マイクなどである。出力インターフェース１２はユーザに情報を出力するものであり、ディスプレイやスピーカなどである。ユーザ端末１がスマートフォンやタブレット端末である場合、タッチパネルが入力インターフェース１１と出力インターフェース１２を兼ねる。
【００１５】
通信部１３は、アンテナや通信ＩＣなどから構成され、サーバ２との間で情報の送受信を行う。なお、ユーザ端末１とサーバ２との間の通信は通信部１３を介して行われるが、以下ではこの点の記載を省略する。
【００１６】
制御部１４は、検索条件受付部４１、レコメンド情報取得部４２、出力部４３および補助部４４などを有する。ユーザ端末１がスマートフォンやタブレット端末である場合、これら各部の少なくとも一部はアプリの機能であってよい。この場合、ユーザ端末１の記憶媒体（不図示）に記憶されたアプリケーションプログラムをユーザ端末１のプロセッサ（不図示）が実行することによって、上記各部が実現される。あるいは、ユーザ端末１にインストールされたＷｅｂブラウザが本検索システムを利用するためのＷｅｂページを表示した際に、当該Ｗｅｂブラウザが上記各部の少なくとも一部の機能を実現していてもよい。
【００１７】
検索条件受付部４１は、入力インターフェース１１を介して、ユーザから検索条件の入力を受け付ける。本実施形態の特徴の１つとして、検索条件は金額および気分を含む。ここでの金額とは、ユーザ自身が現在使うことができる予算であってよい。また、気分とは、ユーザ自身が今なりたい気分であってよい。すなわち、ユーザは、いくらの予算で、どのような気分になりたいか、を検索条件受付部４１に設定することができる。
【００１８】
レコメンド情報取得部４２は検索条件受付部４１が受け付けた検索条件（すなわち、金額および気分）に基づくレコメンド情報を取得する。具体的には、レコメンド情報取得部４２は検索条件をサーバ２に送信する。そして、サーバ２の検索によって得られたレコメンド情報をサーバ２から受信する。レコメンド情報は、検索条件における金額内で行動可能であり、かつ、検索条件における気分になるようなものである。
【００１９】
出力部４３は、出力インターフェース１２を介して、レコメンド情報取得部４２が取得したレコメンド情報をユーザに出力する。具体例として、出力部４３は、レコメンド情報をディスプレイに出力したり、スピーカから読み上げたりする。
【００２０】
補助部４４は取得されたレコメンド情報をユーザが実行するのを補助する。補助の具体例として、レコメンド情報の実行に関する決済や成約処理、時間の案内などが行われる。
【００２１】
一方、サーバ２は、通信部２１、レコメンド情報データベース２２およびレコメンド情報検索部２３などを有する。
【００２２】
通信部２１は、アンテナや通信ＩＣなどから構成され、ユーザ端末１との間で情報の送受信を行う。なお、サーバ２とユーザ端末１との間の通信は通信部２１を介して行われるが、以下ではこの点の記載を省略する。
【００２３】
レコメンド情報データベース２２には、複数のレコメンド情報が記憶されている。具体的には、図２に示すように、レコメンド情報データベース２２には、レコメンド情報を特定するＩＤに対して、少なくとも金額と、気分と、レコメンド情報の具体的内容とが関連付けて記憶されている。金額は当該レコメンド情報の内容を実行するのに要する金額である。金額は０円のものがあってもよい。気分は当該レコメンド情報の内容を実行することによって得られる気分である。
【００２４】
図１に戻り、レコメンド情報検索部２３は、まず、ユーザ端末１の検索条件受付部４１が受け付けた検索条件を受信する。次いで、レコメンド情報検索部２３は検索条件に基づいてレコメンド情報の検索を行う。具体的には、レコメンド情報検索部２３は、レコメンド情報データベース２２から、検索条件における金額と同じ金額が設定されており、かつ、検索条件における気分が得られるレコメンド内容を取得する。そして、レコメンド情報検索部２３は取得された内容をレコメンド情報としてユーザ端末１に送信する。
【００２５】
例えば、検索条件における金額が「５００円」であり、気分が「さっぱり」である場合、レコメンド情報検索部２３は図２のレコメンド情報データベース２２を参照することにより、「銭湯」をレコメンド情報として取得する。検索条件と完全に合致する内容がない場合、レコメンド情報検索部２３は、近接する（あるいはより安価な）金額が設定された内容を取得してもよいし、該当するレコメンド情報がない旨をユーザ端末１に送信するようにしてもよい。
【００２６】
本検索システムには、課金ユーザと無課金ユーザの区別があってもよい。この場合、レコメンド情報データベース２２において、各レコメンド情報に対して、両ユーザ用か、課金ユーザ用かを設定するのがよい。そして、検索条件には、ユーザが課金ユーザであるか無課金ユーザであるかの情報を含み、この点を考慮してレコメンド情報検索部２３は検索を行う。例えば、評価が高いレコメンド情報は課金ユーザにのみ提示されることとすれば、課金ユーザが増えることが見込まれる。
【００２７】
なお、図１の構成は一例にすぎず、例えば、サーバ２の機能の一部または全部をユーザ端末１内に設けたり、サーバ２を分散して複数の装置から構成するようにしたりしてもよい。
【００２８】
図３は、図１の検索システムの処理動作の一例を示すシーケンス図である。以下では、ユーザ端末１がスマートフォンであり、入力インターフェース１１および出力インターフェース１２がタッチパネルである例を主に示す。
【００２９】
まず、検索条件受付部４１はユーザから検索条件を受け付けるための検索条件受付画面をタッチパネルに表示する（ステップＳ１）。そして、検索条件受付部４１は、検索条件として、ユーザから金額および気分の入力を受け付ける（ステップＳ２）。
【００３０】
図４は、検索条件受付画面の一例を示す図である。同画面は、金額設定欄５１と、気分設定欄５２とを含む。ユーザは、タッチパネルを介して金額設定欄５１に金額を設定するとともに、気分設定欄５２に気分をする。なお、設定の順序や手法に特に制限はない。例えば、検索条件受付部４１は、タッチパネルに仮想キーボードを表示し、ユーザから任意の数値あるいは文字を入力してもらうことによって、金額や気分を受け付けてもよい。あるいは、検索条件受付部４１は、予め用意した金額や気分の選択肢をプルダウン表示し、ユーザから選択肢の１つを選択してもらうことによって、金額や気分を受け付けてもよい。
【００３１】
ユーザの操作を簡便にすべく、検索条件受付部４１は金額および気分の２項目のみを受け付けるのが望ましい。ただし、検索条件受付部４１は、金額および気分以外の条件をユーザから受け付けてより詳細に検索条件を設定してもよい。
【００３２】
図３に戻り、レコメンド情報取得部４２はユーザから受け付けた検索条件をサーバ２に送信する（ステップＳ３）。
【００３３】
これにより、サーバ２のレコメンド情報検索部２３はユーザ端末１から検索条件を受信する（ステップＳ１１）。そして、レコメンド情報検索部２３は検索条件に基づいてレコメンド情報データベース２２からレコメンド情報を検索する（ステップＳ１２）。ついで、レコメンド情報検索部２３は得られたレコメンド情報をユーザ端末１に送信する（ステップＳ１３）。
【００３４】
これにより、ユーザ端末１のレコメンド情報取得部４２はサーバ２からレコメンド情報を受信する（ステップＳ４）。そして、出力部４３はレコメンド情報をタッチパネルに表示する（ステップＳ５）。その後、ユーザの求めに応じて、補助部４４はユーザがレコメンド情報を実行するのを補助する（ステップＳ６）。
【００３５】
図５は、レコメンド情報出力画面の一例を示す図である。以下、レコメンド情報として「映画館」が提示された例を示す。
【００３６】
レコメンド情報出力画面は実行ボタン５３を含む。ユーザによって実行ボタン５３が選択されると、出力されているレコメンド情報を行うための補助が行われる。例えば、映画鑑賞に必要な代金を示し、現地決済が必要となることを示してもよい。あるいは、ユーザ端末１上で代金の決済を行うようにしてもよい。決済が成立した場合には、その金額の一部が本検索システムの管理者に支払われるようにしてもよい。
【００３７】
また、ユーザ端末１上で映画館の座席予約といった成約のための処理を行うようにしてもよい。さらに、映画館までの経路を示したり、映画の開始時刻を示したりしてもよい。これらの処理に必要な情報は、レコメンド情報に含まれていてもよいし、ユーザ端末１がサーバ２にアクセスして取得してもよい。
【００３８】
また、レコメンド情報出力画面はマイリストボタン５４を含む。レコメンドされた時点では実行できない場合、ユーザはマイリストボタン５４を選択する。これにより、ユーザ端末１内にマイリストとして保存される。
【００３９】
さらに、レコメンド情報出力画面は、出力されたレコメンド情報を評価するための評価ボタン５５を含む。ユーザによって選択されたレコメンド情報に対する評価がサーバ２に送信される。レコメンド情報検索部２３は、これまでの評価も考慮して、レコメンド情報データベース２２からレコメンド情報を取得することが可能となる。
【００４０】
このように、第１の実施形態では、ユーザから金額および気分の入力を受け付け、これらに合ったレコメンド情報をユーザに出力する。そのため、本検索システムによれば、限られた予算内で実行でき、今味わいたい気分になれる行動をユーザに提示できる。
【００４１】
（第２の実施形態）
次に説明する第２の実施形態は、金額および気分に加え、ユーザ端末１が取得可能な情報も考慮してレコメンと情報を提示するものである。
【００４２】
ユーザ端末１がスマートフォンである場合、現在日時や現在位置を容易に取得可能である。また、ユーザ端末１にインストールされた他のアプリとの連動などにより、現在の天気や気温を取得したり、ユーザの疲労度（例えば歩数計アプリとの連動）を取得したりすることもできる。第２の実施形態では、これらの情報を利用する。
【００４３】
図６は、第２の実施形態に係る検索システムの概略構成を示すブロック図である。以下、第１の実施形態との相違点を中心に説明する。
【００４４】
ユーザ端末１の制御部１４はさらに付加情報取得部４５を有する。付加情報取得部４５は、上述したユーザ端末１が取得可能な情報を、付加情報として取得する。付加情報は、上述した現在日時、現在位置、天気や気温、疲労度など複数項目あってよい。また、ユーザ端末１における利用履歴から把握される、ユーザの趣味や嗜好を付加情報としてもよい。なお、付加情報を利用するか否か（あるいは、どのような付加情報を利用するか）を予めユーザ設定できるようにしておき、利用すると設定されている場合には、さらなるユーザ操作なしで付加情報が取得されるのが望ましい。
【００４５】
そして、検索条件受付部４１は、ユーザが設定した金額および気分のみならず、付加情報も含む検索条件を生成する。なお、本実施形態においても、ユーザが設定するのは金額および気分の２項目のみであるのが望ましく、検索条件受付画面は図４に示すものでよい。
【００４６】
なお、付加情報取得部４５は予め定めたすべての項目を取得してもよいし、一部のみを取得してもよい。例えば、ＧＰＳ信号を受信できない環境下では、付加情報取得部４５は現在位置を取得しなくてよい。
【００４７】
また、サーバ２におけるレコメンド情報データベース２２の記憶内容が異なる。具体的には、図７に示すように、レコメンド情報データベース２２には、レコメンド情報を特定するＩＤに対して、金額および気分に加え、付加情報が関連付けて記憶されている。図６では、付加情報の例として、場所、時間、天気、季節、疲労度の５項目を示している。
【００４８】
そして、サーバ２におけるレコメンド情報検索部２３は付加情報を含む検索条件に基づいてレコメンド情報の検索を行う。例えば、付加情報に含まれるユーザ端末１の現在位置と、レコメンド情報データベース２２における場所とを対比して、現在位置に近い場所が設定された内容を取得する。また、付加情報に含まれる現在日時と、レコメンド情報でーばベースにおける時間および季節とを対比して、現在日時に合致する時間および季節が設定された内容を取得する。
【００４９】
これにより、金額および気分のみならず、付加情報に応じたレコメンド情報が得られる。例えば、金額が「１０００円」であり、気分が「ドキドキ」であっても、ユーザ端末１の現在位置や現在時刻に応じたレコメンド情報が得られる。
【００５０】
このように、第２の実施形態では、ユーザから入力を受け付けた金額および気分に加え、ユーザ端で取得できる情報も考慮してレコメンド情報を出力するため、現在の状況に応じたより適切な行動をユーザに提示できる。
【００５１】
（第３の実施形態）
次に説明する第３の実施形態は、ユーザがレコメンド情報を登録可能とするものである。
【００５２】
図８は、第３の実施形態に係る検索システムの概略構成を示すブロック図である。以下、第１の実施形態との相違点を中心に説明するが、第２の実施形態との組み合わせも可能である。
【００５３】
ユーザ端末１の制御部１４はさらにレコメンド情報受付部４６を有する。レコメンド情報受付部４６は、入力インターフェース１１を介して、ユーザからレコメンド情報の入力を受け付ける。そして、レコメンド情報受付部４６はレコメンド情報をサーバ２に送信する。
【００５４】
サーバ２はレコメンド情報登録部２４を備える。レコメンド情報登録部２４は、ユーザ端末１から送信されるレコメンド情報を、レコメンド情報データベース２２に登録する。
【００５５】
これにより、ユーザがレコメンド情報を登録でき、レコメンド情報データベース２２が充実する。また、レコメンド情報を登録したユーザのみが、本検索システムによるレコメンド情報の検索を行えるようにしてもよい。例えば、レコメンド情報を登録したことがないユーザには、図４に示す検索条件受付画面が表示されないようにするなどにより、レコメンド情報取得部４２がレコメンド情報の取得を行わないようにしてもよい。このようにすることで、レコメンド情報データベース２２がより充実する。
【００５６】
さらに、あるレコメンド情報が他のユーザによって実行され、それによって決済が行われた場合には、その代金の一部あるいは任意の報酬が当該レコメンド情報を登録したユーザに付与されるようにしてもよい。
【００５７】
このように、第３の実施形態では、レコメンド情報をユーザが登録できる。そのため、本検索システムの管理者の手間なく、レコメンド情報を増やしていくことが可能となる。
【００５８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００５９】
１  ユーザ端末
１１  入力インターフェース
１２  出力インターフェース
１３  通信部
１４  制御部
４１  検索条件受付部
４２  レコメンド情報取得部
４３  出力部
４４  補助部
４５  付加情報取得部
４６  レコメンド情報受付部
２  サーバ
２１  通信部
２２  レコメンド情報データベース
２３  レコメンド情報検索部
２４  レコメンド情報登録部
５１  金額設定欄
５２  気分設定欄
５３  実行ボタン
５４  マイリストボタン
５５  評価ボタン
【図１】
2020144728.tif 000003
【図２】
2020144728.tif 000004
【図３】
2020144728.tif 000005
【図４】
2020144728.tif 000006
【図５】
2020144728.tif 000007
【図６】
2020144728.tif 000008
【図７】
2020144728.tif 000009
【図８】
2020144728.tif 000010